(57)【要約】  無接点で電力を受電し、受電した電力を基に二次電池２４１を充電する受電制御部２１と、受電制御部２１を制御するシステム制御部２２とを備えた電子機器２と、交流電源から電子機器２に供給する電力を生成し、無接点で電子機器２に送電する送電制御部３０を備えた充電器３とを備え、システム制御部２２は、二次電池２４１の電池電圧が第１の閾値より大きくなった場合に、充電器３からの送電を継続させたままで二次電池２４１に対する充電を停止し、その後ＣＰＵ２３をスリープ状態に設定して二次電池２４１の放電電流を所定電流値以下に設定してＯＣＶ測定を行い、その後充電を再開し、二次電池２４１の電池電圧が第２の閾値より大きくなると充電を停止する。
2013094126.tif 000002
【特許請求の範囲】
【請求項１】
電力を受電する受電部と、
前記受電部で受電した電力を基に充電される二次電池と、を備え、
外部に対して送電の停止を指示することが可能であり、
前記二次電池の放電電流で動作する、
電子機器であって、
前記二次電池を充電している場合で、かつ、前記二次電池の電圧が所定の閾値より大きくなった場合に、送電停止の指示をすることなく、前記二次電池の充電を停止し、その後所定時間後に前記二次電池の充電を再開する、
電子機器。
【請求項２】
請求項１に記載の電子機器であって、
前記二次電池を充電している場合で、かつ、前記二次電池の電圧が所定の閾値より大きくなった場合に、送電停止の指示をすることなく、前記二次電池の充電を停止するとともに、前記二次電池の放電電流を所定電流値以下にし、その後所定時間後に前記二次電池の充電を再開する、
電子機器。
【請求項３】
請求項１又は請求項２に記載の電子機器であって、
前記二次電池を充電している場合で、かつ、前記二次電池の電圧が所定の閾値より大きくなった場合に、送電停止の指示をすることなく、前記二次電池の充電を停止するとともに、前記二次電池の放電電流を所定電流値以下にし、その後所定時間後に前記二次電池の充電を再開するとともに、前記二次電池の放電電流を所定電流値以下にすることを停止する、
電子機器。
【請求項４】
請求項１から請求項３のいずれか１項に記載の電子機器であって、
前記所定の閾値を第１の閾値とし、
前記二次電池を充電している場合で、かつ、前記二次電池の電圧が前記第１の閾値より大きく、かつ前記第１の閾値より大きい第２の閾値より小さくなった場合に、送電停止の指示をすることなく、前記二次電池の充電を停止し、その後所定時間後に前記二次電池の充電を再開し、
その後、前記二次電池の電圧が前記第２の閾値より大きくなった場合、前記送電停止の指示をする、
電子機器。
【請求項５】
請求項４に記載の電子機器であって、
前記二次電池を充電している場合で、かつ、前記二次電池の電圧が前記第１の閾値より大きく、かつ前記第１の閾値より大きい第２の閾値より小さくなった場合に、送電停止の指示をすることなく、前記二次電池の充電を停止し、その後所定時間後に前記二次電池の充電を再開し、
その後、前記二次電池の電圧が前記第２の閾値より大きくなった場合、前記送電停止の指示をするとともに、前記二次電池の充電を停止する、
電子機器。
【請求項６】
請求項１から請求項５のいずれか１項に記載の電子機器であって、
前記受電部は、電磁コイルを有する、
電子機器。
【請求項７】
請求項１から請求項６のいずれか１項に記載の電子機器であって、
前記送電停止の指示は、前記受電部を介して送信される、
電子機器。
【請求項８】
電力を送電する送電部を備え、
外部からの送電停止の指示に従って、前記送電の停止が可能な充電器と、
請求項１から請求項７のいずれか１項に記載の電子機器と、
を有する、
電子機器充電システム。
【請求項９】
請求項８に記載の電子機器充電システムであって、
前記送電部は、電磁コイルを有する、
電子機器充電システム。
【請求項１０】
請求項８又は請求項９に記載の電子機器充電システムであって、
前記充電器は、外部の商用電源より電力の供給を受ける、
電子機器充電システム。
【請求項１１】
電力を受電する受電部と、
前記受電部で受電した電力を基に充電される二次電池と、を備え、
外部に対して送電の停止を指示することが可能であり、
前記二次電池の放電電流で動作する、
電子機器において利用可能な充電停止／再開方法であって、
前記二次電池を充電している場合で、かつ、前記二次電池の電圧が所定の閾値より大きくなった場合に、送電停止の指示をすることなく、前記二次電池の充電を停止し、その後所定時間後に前記二次電池の充電を再開する、
充電停止／再開方法。
【発明の詳細な説明】
【技術分野】
【０００１】
本発明は、無接点で電力を受電し、受電した電力を基に二次電池を充電する無接点充電機能を備えた電子機器及び該電子機器と該電子機器に無接点で電力を送電する送電機能を備えた充電器とで構成される電子機器充電システムに関する。
【背景技術】
【０００２】
二次電池を利用する電子機器には、電池残量を検出する機能を備えているものがある。二次電池の残容量を求めるには、無負荷状態での端子電圧（これは“ＯＣＶ（Open Circuit Voltage、開放端子電圧）”と呼ばれる）を検出する必要がある。特許文献１に二次電池の残容量を求める演算方法が記載されている。この特許文献１に記載された二次電池の残容量演算方法は、予め求められている二次電池の開放端子電圧ＯＣＶと相対残容量ＳＯＣ［％］との関係を示すテーブルを参照して該二次電池の開放端子電圧から該二次電池の相対残容量を求めるに際し、前記二次電池の満充電状態における開放端子電圧ＯＣＶfullを検出し、この開放端子電圧ＯＣＶfullに従って前記テーブルを参照して相対残容量ＳＯＣfull［％］を求め、その後、前記二次電池の放電停止時に検出される該二次電池の開放端子電圧ＯＣＶに従って前記テーブルを参照して求められる相対残容量ＳＯＣを、前記満充電状態で相対残容量ＳＯＣfull［％］に基づいて、ＳＯＣtrue＝ＳＯＣ×（１００／ＳＯＣfull）として補正して前記二次電池の真の相対残容量ＳＯＣtrueを求める。
【先行技術文献】
【特許文献】
【０００３】
【特許文献１】日本国特開２０１１−０５３０８８号公報
【発明の概要】
【発明が解決しようとする課題】
【０００４】
ところで、無接点充電機能を備えた電子機器は、電力を送電する充電器に置くことで無接点充電を開始するが、無接点充電中にＯＣＶ測定を実施する際に充電を停止するとともに、充電器の送電を停止させてしまい、そのままでは充電を再開することができない。充電を再開するには、電子機器側の着地検出が必要となる（即ち、電子機器を一旦充電器の置き台から離し、再度置き台に置く操作が必要となる）。このように、ＯＣＶ測定後に電子機器側の着地検出無しに充電を再開することができないという課題がある。【０００５】
本発明は、係る事情に鑑みてなされたものであり、ＯＣＶ測定後に電子機器側の着地検出無しに充電を再開することができる電子機器及び電子機器充電システムを提供することを目的とする。
【課題を解決するための手段】
【０００６】
本発明の電子機器は、電力を受電する受電部と、前記受電部で受電した電力を基に充電される二次電池と、を備え、外部に対して送電の停止を指示することが可能であり、前記二次電池の放電電流で動作する、電子機器であって、前記二次電池を充電している場合で、かつ、前記二次電池の電圧が所定の閾値より大きくなった場合に、送電停止の指示をすることなく、前記二次電池の充電を停止し、その後所定時間後に前記二次電池の充電を再開する。【０００７】
上記構成によれば、二次電池の充電を停止してから再開するまでの間にＯＣＶ測定ができる。また、送電停止を指示しないので、電子機器側の着地検出無しに充電を再開することができる。【０００８】
上記構成において、前記二次電池を充電している場合で、かつ、前記二次電池の電圧が所定の閾値より大きくなった場合に、送電停止の指示をすることなく、前記二次電池の充電を停止するとともに、前記二次電池の放電電流を所定電流値以下にし、その後所定時間後に前記二次電池の充電を再開する。【０００９】
上記構成によれば、二次電池の放電電流を下げることで、ＯＣＶ測定時の負荷が軽減し、ＯＣＶ測定精度が向上する。例えば、ＣＰＵ（Central Processing Unit）をスリープ状態にすることで、二次電池の放電電流を下げることができる。【００１０】
上記構成において、前記二次電池を充電している場合で、かつ、前記二次電池の電圧が所定の閾値より大きくなった場合に、送電停止の指示をすることなく、前記二次電池の充電を停止するとともに、前記二次電池の放電電流を所定電流値以下にし、その後所定時間後に前記二次電池の充電を再開するとともに、前記二次電池の放電電流を所定電流値以下にすることを停止する。【００１１】
上記構成によれば、二次電池の充電停止時から所定時間経過後に、二次電池の放電電流を所定電流値以下にすることを停止するので、その後は、充電の再開が可能な状態になり、二次電池を正常に充電することができる。【００１２】
上記構成において、前記所定の閾値を第１の閾値とし、前記二次電池を充電している場合で、かつ、前記二次電池の電圧が前記第１の閾値より大きく、かつ前記第１の閾値より大きい第２の閾値より小さくなった場合に、送電停止の指示をすることなく、前記二次電池の充電を停止し、その後所定時間後に前記二次電池の充電を再開し、その後、前記二次電池の電圧が前記第２の閾値より大きくなった場合、前記送電停止の指示をする。【００１３】
上記構成によれば、二次電池の電圧が第１の閾値より大きく、かつ第１の閾値より大きい第２の閾値より小さくなった場合に、ＯＣＶ測定を行うことができ、その後、二次電池の電圧が第２の閾値より大きくなった場合に充電を完了させることができる。【００１４】
上記構成において、前記二次電池を充電している場合で、かつ、前記二次電池の電圧が前記第１の閾値より大きく、かつ前記第１の閾値より大きい第２の閾値より小さくなった場合に、送電停止の指示をすることなく、前記二次電池の充電を停止し、その後所定時間後に前記二次電池の充電を再開し、その後、前記二次電池の電圧が前記第２の閾値より大きくなった場合、前記送電停止の指示をするとともに、前記二次電池の充電を停止する。【００１５】
上記構成によれば、二次電池の充電を停止してから再開するまでの間にＯＣＶ測定ができ、さらに、満充電状態になると自動的に充電を停止できる。【００１６】
上記構成において、前記受電部は、電磁コイルを有する。【００１７】
上記構成において、前記送電停止の指示は、前記受電部を介して送信される。【００１８】
本発明の電子機器充電システムは、電力を送電する送電部を備え、外部からの送電停止の指示に従って、前記送電の停止が可能な充電器と、上記いずれかの電子機器と、を有する。【００１９】
上記構成によれば、電子機器は、二次電池の充電を停止してから再開するまでの間にＯＣＶ測定ができる。また、電子機器は、充電器に対して送電停止を指示しないので、電子機器側の着地検出無しに充電を再開することができる。【００２０】
上記構成において、前記送電部は、電磁コイルを有する。【００２１】
上記構成において、前記充電器は、外部の商用電源より電力の供給を受ける。【００２２】
本発明の充電停止／再開方法は、電力を受電する受電部と、前記受電部で受電した電力を基に充電される二次電池と、を備え、外部に対して送電の停止を指示することが可能であり、前記二次電池の放電電流で動作する、電子機器において利用可能な充電停止／再開方法であって、前記二次電池を充電している場合で、かつ、前記二次電池の電圧が所定の閾値より大きくなった場合に、送電停止の指示をすることなく、前記二次電池の充電を停止し、その後所定時間後に前記二次電池の充電を再開する。【００２３】
上記方法によれば、二次電池の充電を停止してから再開するまでの間にＯＣＶ測定ができる。また、送電停止を指示しないので、電子機器側の着地検出無しに充電を再開することができる。
【発明の効果】
【００２４】
本発明によれば、無接点で電力を受電し、受電した電力を基に二次電池を充電する無接点充電機能を備えた電子機器において、ＯＣＶ測定後に電子機器側の着地検出無しに充電を再開することができる。
【図面の簡単な説明】
【００２５】
【図１】本発明の一実施の形態に係る電子機器充電システムの概略構成を示すブロック図
【図２】図１の電子機器充電システムの電子機器の動作を説明するためのフローチャート
【図３】図１の電子機器充電システムの変形例であって、受電制御部を電池パックに設けた電子機器充電システムの概略構成を示すブロック図
【発明を実施するための形態】
【００２６】
以下、本発明を実施するための好適な実施の形態について、図面を参照して詳細に説明する。
【００２７】
図１は、本発明の一実施の形態に係る電子機器充電システムの概略構成を示すブロック図である。同図において、本実施の形態の電子機器充電システム１は、電子機器２と、充電器３とを備える。電子機器２は、無接点で電力を受電し、受電した電力を基に二次電池を充電する無接点充電機能を備えたものである。充電器３は、クレードルと呼ばれる充電用の置き台であり、交流電源（商用電源）ＡＣから電子機器２に供給する電力を生成し、それを無接点で電子機器２に送電する送電機能を備えたものである。
【００２８】
電子機器２は、システム制御部２２と、ＣＰＵ２３と、受電制御部２１と、機器各部に電力を供給する電池パック２４とを備える。システム制御部２２は、受電制御部２１に送電開始・停止等の指示を出力し、またＣＰＵ２３をスリープ状態にする指示や起動させる指示をＣＰＵ２３に出力する。
【００２９】
受電制御部２１は、無接点で電力を受電する受電部２１１と、充電器３に送電開始信号や送電停止信号を送信する送信部２１２と、充電制御を行う充電制御部２１３とを備える。受電部２１１は電磁コイル２１４を有し、充電器３の送電部３０１の電磁コイル３０３との間で電磁誘導により充電器３の送電部３０１から送電される電力を受電する。送信部２１２は、システム制御部２２から送電開始の指示を受けることで、電磁コイル２１４をアンテナとして利用し、充電器３に送電開始信号を送信する。充電制御部２１３は、電池パック２４に内蔵された二次電池２４１に対する充電制御を行う。充電制御部２１３は、二次電池２４１に対する充電制御において二次電池２４１の電圧を検出し、検出結果をシステム制御部２２に出力する。システム制御部２２は、充電制御部２１３で検出された二次電池２４１の電圧に基づいて二次電池２４１が満充電状態かどうか判定し、満充電状態と判定すると送電停止の指示を出力する。
【００３０】
電池パック２４は、＋端子２４２を介して受電制御部２１、システム制御部２２及びＣＰＵ２３の＋電源側と接続されるとともに、−端子２４３を介して電子機器２のグランドＧ及び受電制御部２１の−電源側と接続される。電池パック２４に内蔵された二次電池２４１は、受電制御部２１によって充電器３から送電されてくる電力で充電される。
【００３１】
充電器３は、送電制御部３０を備える。送電制御部３０は、無接点で電力を送電する送電部３０１と、電子機器２から送信される送電開始信号や送電停止信号等を受信する受信部３０２とを備える。送電部３０１は、電磁コイル３０３を有し、該電磁コイル３０３と電子機器２の受電部２１１の電磁コイル２１４との間で電磁誘導により電力を送電する。受信部３０２は、電磁コイル３０３をアンテナとして利用し、電子機器２の送信部２１２から送信される送電開始信号や送電停止信号を受信する。送電制御部３０は、受信部３０２が送電開始信号を受信することで送電部３０１から送電を開始し、また受信部３０２が送電停止信号を受信することで送電部３０１からの送電を停止する。なお、送電の開始・停止の指示の送受信に電磁コイル２１４，３０３を利用することで、専用のアンテナが不要となり、その分、コストの削減及び装置の小型化が図れる。
【００３２】
次に、本実施の形態に係る電子機器充電システム１の動作を説明する。
図２は、電子機器２の動作を説明するためのフローチャートである。同図において、システム制御部２２は、受電を開始する（ステップＳ１）。即ち、システム制御部２２は、受電制御部２１に受電を開始する指示を出力する。受電を開始する指示を受けた受電制御部２１は、受電部２１１にて受電を開始する。システム制御部２２は、受電の開始後、充電停止かどうか判定する（ステップＳ２）。即ち、システム制御部２２は、電子機器２の状態に応じて充電を停止するかどうか判定する。例えば、電子機器２に温度異常があれば充電を停止すると判定する。
【００３３】
システム制御部２２は、電子機器２に例えば温度異常があり充電を停止すると判定した場合（即ち、ステップＳ２の判定で「Ｙｅｓ」と判定した場合）、受電制御部２１に送電停止の指示を出力する（ステップＳ１４）。受電制御部２１は、送電停止の指示を受けると、充電器３に送電停止信号を送信する。これにより、充電器３からの送電が停止する。
【００３４】
システム制御部２２は、ステップＳ２の判定において、充電を停止しないと判定した場合（即ち、ステップＳ２の判定で「Ｎｏ」と判定した場合）は充電を開始する（ステップＳ３）。即ち、システム制御部２２は、受電制御部２１に充電を開始する指示を出力する。受電制御部２１は、充電を開始する指示を受けると、充電制御部２１３で二次電池２４１の充電を開始する。勿論、充電に使用される電力は充電器３から送電される電力である。システム制御部２２は、充電を開始した後、二次電池２４１の電圧が第１の閾値より小さいかどうか判定する（ステップＳ４）。二次電池２４１の電圧が第１の閾値より大きい場合（即ちステップＳ４の判定で「Ｎｏ」と判定した場合）、二次電池２４１の電圧が第２の閾値より大きいかどうか判定し（ステップＳ１２）、第２の閾値より大きくなければ、第２の閾値より大きくなるまで本判定を繰り返し、第２の閾値より大きければ、受電制御部２１に充電停止の指示を出力する（ステップＳ１３）。受電制御部２１は、充電停止の指示を受けると、充電制御部２１３にて二次電池２４１の充電を停止する。システム制御部２２は、受電制御部２１に充電停止の指示を出力した後、受電制御部２１に送電停止の指示を出力し（ステップＳ１４）、本処理を終了する。
【００３５】
システム制御部２２は、ステップＳ４の判定において、二次電池２４１の電圧が第１の閾値より小さいと判定した場合（即ちステップＳ４の判定で「Ｙｅｓ」と判定した場合）、二次電池２４１の電圧が第１の閾値より大きくなったかどうか判定する（ステップＳ５）。この判定において、二次電池２４１の電圧が第１の閾値より大きくなっていない場合（即ちステップＳ５の判定で「Ｎｏ」と判定した場合）は、二次電池２４１の電圧が第１の閾値より大きくなるまで本判定を繰り返す。これに対して、二次電池２４１の電圧が第１の電圧より大きくなった場合（即ちステップＳ５の判定で「Ｙｅｓ」と判定した場合）、充電器３からの送電は継続させるが、充電を停止する（ステップＳ６）。即ち、システム制御部２２は、受電制御部２１に充電停止の指示を出力するのみで、送電停止信号を送信する指示は出力しない。これにより、二次電池２４１の充電が停止するが、充電器３からの送電は継続して行われる。
【００３６】
システム制御部２２は、充電を停止し、送電を継続させる制御を行った後、二次電池２４１の放電電流を所定電流以下に設定するため、ＣＰＵ２３をスリープ状態にする（ステップＳ７）。即ち、ＣＰＵ２３をスリープ状態にして負荷を軽減する。二次電池２４１の放電電流を所定電流以下に設定した後、ＯＣＶ測定を行う（ステップＳ８）。この場合、ＣＰＵ２３をスリープ状態にして負荷を軽減しているので、精度の良いＯＣＶ測定ができる。
【００３７】
次いで、システム制御部２２は、ＯＣＶ測定開始時から一定時間を経過したかどうか判定し（ステップＳ９）、一定時間を経過していない場合（即ちステップＳ９の判定で「Ｎｏ」と判定した場合）、一定時間を経過するまで本判定を繰り返す。これに対し、一定時間を経過した場合（即ちステップＳ９の判定で「Ｙｅｓ」と判定した場合）、充電を再開する（ステップＳ１０）。即ち、システム制御部２２は、受電制御部２１に充電開始の指示を出力して二次電池２４１の充電を再開する。この場合、充電器３からの送電は停止していないので、ＯＣＶ測定した後も充電器３に置いた電子機器２を充電器３から一旦離して再度充電器３に置くといった操作を行う必要がない。
【００３８】
システム制御部２２は、充電の再開後、二次電池２４１の放電電流を所定電流以下の設定を解除する（ステップＳ１１）。即ち、ＣＰＵ２３をスリープ状態から起動状態にする。二次電池２４１の放電電流の制限を解除した後、二次電池２４１の電池電圧が第２の閾値より大きいかどうか判定する（ステップＳ１２）。二次電池２４１の電池電圧が第２の閾値より大きくない場合（即ちステップＳ１２の判定で「Ｎｏ」と判定した場合）、第２の閾値より大きくなるまで本判定を繰り返す。これに対し、二次電池２４１の電池電圧が第２の閾値より大きくなった場合（即ちステップＳ１２の判定で「Ｙｅｓ」と判定した場合）、充電を停止する（ステップＳ１３）。即ち、システム制御部２２は、受電制御部２１に充電停止の指示を出力して二次電池２４１の充電を停止させる（ステップＳ１３）。次いで、ステップＳ１４で送電を停止させて本処理を終える。
【００３９】
このように、システム制御部２２は、二次電池２４１の電池電圧が第１の閾値より大きくなった場合に、充電器３からの送電を継続させたままで、二次電池２４１に対する充電を停止し、充電停止後、ＣＰＵ２３をスリープ状態に設定して二次電池２４１の放電電流を所定電流値以下に設定し、この状態でＯＣＶ測定を行う。そして、ＯＣＶ測定後、充電を再開し、二次電池２４１の電池電圧が第２の閾値より大きくなると充電を停止し、さらに充電器３に対して送電を停止させる。
【００４０】
このように本実施の形態に係る電子機器充電システム１によれば、無接点で電力を受電し、受電した電力を基に二次電池２４１を充電する受電制御部２１と、受電制御部２１を制御するシステム制御部２２とを備えた電子機器２と、交流電源ＡＣから電子機器２に供給する電力を生成し、それを無接点で電子機器２に送電する送電制御部３０を備えた充電器３と、を備え、電子機器２のシステム制御部２２は、二次電池２４１の電池電圧が第１の閾値より大きくなった場合に、充電器３からの送電を継続させたままで、二次電池２４１に対する充電を停止し、その後ＣＰＵ２３をスリープ状態に設定して二次電池２４１の放電電流を所定電流値以下に設定してＯＣＶ測定を行い、ＯＣＶ測定後充電を再開し、二次電池２４１の電池電圧が第２の閾値より大きくなると充電を停止するので、電子機器２側の着地検出無しに（充電器３に置いた電子機器２を充電器３から一旦離して再度充電器３に置くといった操作を行うことなく）充電を再開することが可能となる。また、ＯＣＶ測定の際に、ＣＰＵ２３をスリープ状態に設定して二次電池２４１の負荷を軽減するので、精度の高いＯＣＶ測定が可能となる。
【００４１】
なお、本実施の形態に係る電子機器充電システム１では、受電制御部２１を電子機器２側に設けたが、受電制御部２１を電池パック側に設けてもよい。図３は、図１の電子機器充電システム１の変形例であって、受電制御部２１を電池パックに設けた電子機器充電システム１Ｂの概略構成を示すブロック図である。同図に示すように、電池パック２４Ｂは受電制御部２１を備えている。受電制御部２１と電子機器２Ｂのシステム制御部２２は通信端子２４４を介して通信を行う。
【００４２】
また、本実施の形態に係る電子機器充電システム１の電子機器２における処理を記述したプログラムを、磁気ディスク、光ディスク、光磁気ディスク、半導体メモリ等の記憶媒体に格納して配布したり、インターネット等の電気通信回線を利用して配布したりすることも可能である。
【００４３】
本発明を詳細にまた特定の実施態様を参照して説明したが、本発明の精神と範囲を逸脱することなく様々な変更や修正を加えることができることは当業者にとって明らかである。
【００４４】
本出願は、２０１１年１２月２２日出願の日本特許出願（特願２０１１−２８１７０６）に基づくものであり、その内容はここに参照として取り込まれる。
【産業上の利用可能性】
【００４５】
本発明は、ＯＣＶ測定後に電子機器側の着地検出無しに充電を再開することができるといった効果を有し、無接点充電機能を備えた電子機器への適用が可能である。
【符号の説明】
【００４６】
１，１Ｂ  電子機器充電システム
２，２Ｂ  電子機器
３  充電器
２１  受電制御部
２２  システム制御部
２３  ＣＰＵ
２４，２４Ｂ  電池パック
３０  送電制御部
２１１  受電部
２１２  送信部
２１３  充電制御部
２１４，３０３  電磁コイル
２４１  二次電池
２４２  ＋端子
２４３  −端子
２４４  通信端子
３０１  送電部
３０２  受信部
【図１】
2013094126.tif 000003
【図２】
2013094126.tif 000004
【図３】
2013094126.tif 000005
【手続補正書】
【提出日】平成25年4月8日(2013.4.8)
【手続補正１】
【補正対象書類名】特許請求の範囲
【補正対象項目名】全文
【補正方法】変更
【補正の内容】
【特許請求の範囲】
【請求項１】
電力を受電する受電部と、
前記受電部で受電した電力を基に充電される二次電池と、を備え、
外部に対して送電の停止を指示することが可能であり、
前記二次電池の放電電流で動作する、
電子機器であって、
前記二次電池を充電している場合で、かつ、前記二次電池の電圧が所定の閾値より大きくなった場合に、送電停止の指示をすることなく、前記二次電池の充電を停止し、その後所定時間後に前記二次電池の充電を再開し、
前記所定の閾値を第１の閾値とし、
前記二次電池を充電している場合で、かつ、前記二次電池の電圧が前記第１の閾値より大きく、かつ前記第１の閾値より大きい第２の閾値より小さくなった場合に、送電停止の指示をすることなく、前記二次電池の充電を停止し、その後所定時間後に前記二次電池の充電を再開し、
その後、前記二次電池の電圧が前記第２の閾値より大きくなった場合、前記送電停止の指示をし、
前記二次電池を充電している場合で、かつ、前記二次電池の電圧が前記第１の閾値より大きく、かつ前記第１の閾値より大きい第２の閾値より小さくなった場合に、送電停止の指示をすることなく、前記二次電池の充電を停止し、その後所定時間後に前記二次電池の充電を再開し、
その後、前記二次電池の電圧が前記第２の閾値より大きくなった場合、前記送電停止の指示をするとともに、前記二次電池の充電を停止する、
電子機器。
【請求項２】
請求項１に記載の電子機器であって、
前記二次電池を充電している場合で、かつ、前記二次電池の電圧が所定の閾値より大きくなった場合に、送電停止の指示をすることなく、前記二次電池の充電を停止するとともに、前記二次電池の放電電流を所定電流値以下にし、その後所定時間後に前記二次電池の充電を再開する、
電子機器。
【請求項３】
請求項１又は請求項２に記載の電子機器であって、
前記二次電池を充電している場合で、かつ、前記二次電池の電圧が所定の閾値より大きくなった場合に、送電停止の指示をすることなく、前記二次電池の充電を停止するとともに、前記二次電池の放電電流を所定電流値以下にし、その後所定時間後に前記二次電池の充電を再開するとともに、前記二次電池の放電電流を所定電流値以下にすることを停止する、
電子機器。
【請求項４】
（削除）
【請求項５】
（削除）
【請求項６】
請求項１から請求項３のいずれか１項に記載の電子機器であって、
前記受電部は、電磁コイルを有する、
電子機器。
【請求項７】
請求項１から請求項３のいずれか１項又は請求項６に記載の電子機器であって、
前記送電停止の指示は、前記受電部を介して送信される、
電子機器。
【請求項８】
電力を送電する送電部を備え、
外部からの送電停止の指示に従って、前記送電の停止が可能な充電器と、
請求項１から請求項３及び請求項６から請求項７のいずれか１項に記載の電子機器と、
を有する、
電子機器充電システム。
【請求項９】
請求項８に記載の電子機器充電システムであって、
前記送電部は、電磁コイルを有する、
電子機器充電システム。
【請求項１０】
請求項８又は請求項９に記載の電子機器充電システムであって、
前記充電器は、外部の商用電源より電力の供給を受ける、
電子機器充電システム。
【請求項１１】
電力を受電する受電部と、
前記受電部で受電した電力を基に充電される二次電池と、を備え、
外部に対して送電の停止を指示することが可能であり、
前記二次電池の放電電流で動作する、
電子機器において利用可能な充電停止／再開方法であって、
前記二次電池を充電している場合で、かつ、前記二次電池の電圧が所定の閾値より大きくなった場合に、送電停止の指示をすることなく、前記二次電池の充電を停止し、その後所定時間後に前記二次電池の充電を再開し、
前記所定の閾値を第１の閾値とし、
前記二次電池を充電している場合で、かつ、前記二次電池の電圧が前記第１の閾値より大きく、かつ前記第１の閾値より大きい第２の閾値より小さくなった場合に、送電停止の指示をすることなく、前記二次電池の充電を停止し、その後所定時間後に前記二次電池の充電を再開し、
その後、前記二次電池の電圧が前記第２の閾値より大きくなった場合、前記送電停止の指示をし、
前記二次電池を充電している場合で、かつ、前記二次電池の電圧が前記第１の閾値より大きく、かつ前記第１の閾値より大きい第２の閾値より小さくなった場合に、送電停止の指示をすることなく、前記二次電池の充電を停止し、その後所定時間後に前記二次電池の充電を再開し、
その後、前記二次電池の電圧が前記第２の閾値より大きくなった場合、前記送電停止の指示をするとともに、前記二次電池の充電を停止する、
充電停止／再開方法。
【国際調査報告】
2013094126.tif 000006
2013094126.tif 000007
2013094126.tif 000008